(57)【特許請求の範囲】
【請求項１】
通信システム中の第２の基地局によって第１の基地局を発見する方法において、
前記通信システム中の前記第１の基地局からの識別信号のアクセス端末による検出に基づく、前記アクセス端末が前記第２の基地局から前記第１の基地局にハンドオフすることを支援する第１のメッセージを、前記アクセス端末から受信することと、
前記識別信号に基づいて、前記第１の基地局が既知の基地局であるかどうかを決定することと、
前記第１の基地局が既知の基地局でないという決定がなされるとき、前記第１の基地局のネットワーク識別を要求する第２のメッセージを前記アクセス端末に送信することと、
前記第２のメッセージに応答した、前記第１の基地局のネットワーク識別を含む第３のメッセージを、前記アクセス端末から受信することと、
前記ネットワーク識別に基づいて、ネットワークリンクを通して、識別データに対する要求を前記第１の基地局に送ることとを含み、
前記ネットワーク識別は、前記識別信号に関係付けられている方法。
【請求項２】
前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む請求項１記載の方法。
【請求項３】
前記アクセス端末は、前記第２の基地局と一体化されている請求項１記載の方法。
【請求項４】
前記ネットワークリンクは、アクセスゲートウェイとＩＰネットワークとのうちの少なくとも１つを含む請求項１記載の方法。
【請求項５】
前記識別信号に基づいて、前記第１の基地局が既知の基地局であるかどうかを決定することは、前記識別信号の少なくとも一部を、前記第２の基地局に既知である現在登録されている基地局の隣接リストと比較することを含む請求項１記載の方法。
【請求項６】
前記第１の基地局の前記識別信号および前記ネットワーク識別のうちの少なくとも１つと、第３の隣接基地局の識別信号およびネットワーク識別のうちの対応する少なくとも１つとの間の競合が、前記第２の基地局によって検出されるとき、前記第１の基地局と前記第３の基地局との間を調停することをさらに含む請求項５記載の方法。
【請求項７】
前記識別データに対する要求に応答した、前記識別データを含む返答を、前記第１の基地局から受信することと、
前記識別データのうちの少なくとも一部を使用して、前記第２の基地局の隣接リストに前記第１の基地局を登録することとをさらに含む請求項１記載の方法。
【請求項８】
前記ネットワークリンクを通して、前記隣接リスト中の情報のうちの少なくとも一部を、前記通信システム中の少なくとも第３の隣接基地局に送ることをさらに含む請求項７記載の方法。
【請求項９】
通信ネットワーク中の基地局を発見することに用いる装置において、
通信システム中の第１の基地局からの識別信号のアクセス端末による検出に基づく、前記アクセス端末が第２の基地局から第１の基地局にハンドオフすることを支援する第１のメッセージを、前記アクセス端末から受信するように構成されているトランシーバ回路と、
前記識別信号に基づいて、前記第１の基地局が既知の基地局であるかどうかを決定するように構成されている隣接発見モジュールと、
第１の基地局のネットワーク識別に基づいて、ネットワークリンクを通して、識別データに対する要求を前記第１の基地局に送るように構成されているネットワークインターフェース回路とを具備し、
前記トランシーバ回路は、前記第１の基地局が既知の基地局でないという決定が前記隣接発見モジュールによってなされるとき、前記第１の基地局のネットワーク識別を要求する第２のメッセージを前記アクセス端末に送信し、前記第２のメッセージに応答した、前記第１の基地局のネットワーク識別を含む第３のメッセージを、前記アクセス端末から受信するようにさらに構成されており、
前記ネットワーク識別は、前記識別信号に関係付けられている装置。
【請求項１０】
前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む請求項９記載の装置。
【請求項１１】
前記アクセス端末は、前記第２の基地局と一体化されている請求項９記載の装置。
【請求項１２】
前記ネットワークリンクは、アクセスゲートウェイとＩＰネットワークとのうちの少なくとも１つを含む請求項９記載の装置。
【請求項１３】
前記隣接発見モジュールは、前記識別信号の少なくとも一部を、前記第２の基地局に既知である現在登録されている基地局の隣接リストと比較することによって、前記識別信号に基づいて、前記第１の基地局が既知の基地局であるかどうかを決定するようにさらに構成されている請求項９記載の装置。
【請求項１４】
前記隣接発見モジュールは、前記第１の基地局の前記識別信号および前記ネットワーク識別のうちの少なくとも１つと、第３の隣接基地局の識別信号およびネットワーク識別のうちの対応する少なくとも１つとの間の競合が、前記第２の基地局によって検出されるとき、前記第１の基地局と前記第３の基地局との間を調停するようにさらに構成されている請求項１３記載の装置。
【請求項１５】
前記ネットワークインターフェース回路は、前記識別データに対する要求に応答した、前記識別データを含む返答を、前記第１の基地局から受信するようにさらに構成されており、前記隣接発見モジュールは、前記識別データのうちの少なくとも一部を使用して、前記第２の基地局の隣接リストに前記第１の基地局を登録するようにさらに構成されている請求項９記載の装置。
【請求項１６】
前記隣接発見モジュールは、前記ネットワークリンクを通して、前記隣接リスト中の情報のうちの少なくとも一部を、前記通信システム中の少なくとも第３の隣接基地局に送ることを前記ネットワークインターフェース回路に指示するようにさらに構成されている請求項１５記載の装置。
【請求項１７】
通信システムに用いる装置において、
前記通信システム中の第１の基地局からの識別信号のアクセス端末による検出に基づく、前記アクセス端末が第２の基地局から前記第１の基地局にハンドオフすることを支援する第１のメッセージを、前記アクセス端末から受信する手段と、
前記識別信号に基づいて、前記第１の基地局が既知の基地局であるかどうかを決定する手段と、
前記第１の基地局が既知の基地局でないという決定がなされるとき、前記第１の基地局のネットワーク識別を要求する第２のメッセージを前記アクセス端末に送信する手段と、
前記第２のメッセージに応答した、前記第１の基地局のネットワーク識別を含む第３のメッセージを、前記アクセス端末から受信する手段と、
前記ネットワーク識別に基づいて、ネットワークリンクを通して、識別データに対する要求を前記第１の基地局に送る手段とを具備し、
前記ネットワーク識別は、前記識別信号に関係付けられている装置。
【請求項１８】
前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む請求項１７記載の装置。
【請求項１９】
前記アクセス端末は、前記第２の基地局と一体化されている請求項１７記載の装置。
【請求項２０】
前記ネットワークリンクは、アクセスゲートウェイとＩＰネットワークとのうちの少なくとも１つを含む請求項１７記載の装置。
【請求項２１】
前記識別信号に基づいて、前記第１の基地局が既知の基地局であるかどうかを決定する手段は、前記識別信号の少なくとも一部を、前記第２の基地局に既知である現在登録されている基地局の隣接リストと比較する手段を含む請求項１７記載の装置。
【請求項２２】
前記第１の基地局の前記識別信号および前記ネットワーク識別のうちの少なくとも１つと、第３の隣接基地局の識別信号およびネットワーク識別のうちの対応する少なくとも１つとの間の競合が、前記第２の基地局によって検出されるとき、前記第１の基地局と前記第３の基地局との間を調停する手段をさらに具備する請求項２１記載の装置。
【請求項２３】
前記識別データに対する要求に応答した、前記識別データを含む返答を、前記第１の基地局から受信する手段と、
前記識別データのうちの少なくとも一部を使用して、前記第２の基地局の隣接リストに前記第１の基地局を登録する手段とをさらに具備する請求項１７記載の装置。
【請求項２４】
前記ネットワークリンクを通して、前記隣接リスト中の情報のうちの少なくとも一部を、前記通信システム中の少なくとも第３の隣接基地局に送る手段をさらに具備する請求項２３記載の装置。
【請求項２５】
第２の基地局において使用される装置に備えられたプロセッサに読み取り可能な、プロセッサに読み取り可能記憶媒体において、
通信システム中の第１の基地局からの識別信号のアクセス端末による検出に基づく、前記アクセス端末が第２の基地局から前記第１の基地局にハンドオフすることを支援する第１のメッセージを、前記アクセス端末から受信することをプロセッサに生じさせるためのコードと、
前記識別信号に基づいて、前記第１の基地局が既知の基地局であるかどうかを決定することをプロセッサに生じさせるためのコードと、
前記第１の基地局が既知の基地局でないという決定がなされるとき、前記第１の基地局のネットワーク識別を要求する第２のメッセージを前記アクセス端末に送信することをプロセッサに生じさせるためのコードと、
前記第２のメッセージに応答した、前記第１の基地局のネットワーク識別を含む第３のメッセージを、前記アクセス端末から受信することをプロセッサに生じさせるためのコードと、
前記ネットワーク識別に基づいて、ネットワークリンクを通して、識別データに対する要求を前記第１の基地局に送ることをプロセッサに生じさせるためのコードとを含み、
前記ネットワーク識別は、前記識別信号に関係付けられているプロセッサに読み取り可能記憶媒体。
【請求項２６】
前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む請求項２５記載のプロセッサに読み取り可能記憶媒体。
【請求項２７】
前記アクセス端末は、前記第２の基地局と一体化されている請求項２５記載のプロセッサに読み取り可能記憶媒体。
【請求項２８】
前記ネットワークリンクは、アクセスゲートウェイとＩＰネットワークとのうちの少なくとも１つを含む請求項２５記載のプロセッサに読み取り可能記憶媒体。
【請求項２９】
前記識別信号に基づいて、前記第１の基地局が既知の基地局であるかどうかを決定することをプロセッサに生じさせるためのコードを含む前記プロセッサに読み取り可能媒体は、前記識別信号の少なくとも一部を、前記第２の基地局に既知である現在登録されている基地局の隣接リストと比較することをプロセッサに生じさせるためのコードをさらに含む請求項２５記載のプロセッサに読み取り可能記憶媒体。
【請求項３０】
前記第１の基地局の前記識別信号および前記ネットワーク識別のうちの少なくとも１つと、第３の隣接基地局の識別信号およびネットワーク識別のうちの対応する少なくとも１つとの間の競合が、前記第２の基地局によって検出されるとき、前記第１の基地局と前記第３の基地局との間を調停することをプロセッサに生じさせるためのコードをさらに含む請求項２９記載のプロセッサに読み取り可能記憶媒体。
【請求項３１】
前記識別データに対する要求に応答した、前記識別データを含む返答を、前記第１の基地局から受信することをプロセッサに生じさせるためのコードと、
前記識別データのうちの少なくとも一部を使用して、前記第２の基地局の隣接リストに前記第１の基地局を登録することをプロセッサに生じさせるためのコードとをさらに含む請求項２５記載のプロセッサに読み取り可能記憶媒体。
【請求項３２】
前記ネットワークリンクを通して、前記隣接リスト中の情報のうちの少なくとも一部を、前記通信システム中の少なくとも第３の隣接基地局に送ることをプロセッサに生じさせるためのコードをさらに含む請求項３１記載のプロセッサに読み取り可能記憶媒体。
【請求項３３】
通信システム中の基地局を発見する方法において、
アクセス端末において、通信ネットワーク中の第１の基地局からの識別信号を検出することと、
前記識別信号に基づく、前記アクセス端末が前記第１の基地局にハンドオフすることを支援する要求を、第２の基地局に送信することと、
前記第１の基地局が既知の基地局でないことを前記第２の基地局が決定するとき、前記第１の基地局の識別データを要求するメッセージを前記第２の基地局から受信することと、
前記第１の基地局から前記識別データを取得することと、
前記識別データを前記第２の基地局に送信することとを含み、
前記識別データは、前記識別信号に関係付けられている方法。
【請求項３４】
前記識別データは、セクタＩＤとＡＮＩＤとのうちの少なくとも１つを含む請求項３３記載の方法。
【請求項３５】
前記アクセス端末は、前記第２の基地局と一体化されている請求項３３記載の方法。
【請求項３６】
前記第２の基地局は、前記識別信号の少なくとも一部を、前記第２の基地局に既知である現在登録されている基地局の隣接リストと比較することによって、前記識別信号に基づいて、前記第１の基地局が既知の基地局でないかどうかを決定する請求項３３記載の方法。
【請求項３７】
前記第１の基地局の前記識別信号および前記識別データのうちの少なくとも１つと、第３の隣接基地局の識別信号および識別データのうちの対応する少なくとも１つとの間の競合が、前記第２の基地局によって検出されるとき、前記第２の基地局による、前記第１の基地局と前記第３の基地局との間の調停に基づいて、前記第１の基地局と前記第３の基地局とのうちの少なくとも１つから、更新された識別信号と、更新された識別データとのうちの少なくとも１つを受信することをさらに含む請求項３３記載の方法。
【請求項３８】
通信システム中の基地局の隣接発見に用いるアクセス端末における装置において、
アクセス端末において、通信ネットワーク中の第１の基地局からの識別信号を検出し、前記識別信号に基づく、前記アクセス端末が前記第１の基地局にハンドオフすることを支援する要求を、第２の基地局に送信し、前記第１の基地局が既知の基地局でないことを前記第２の基地局が決定するとき、前記第１の基地局の識別データを要求するメッセージを前記第２の基地局から受信するように構成されているトランシーバ回路と、
前記第１の基地局から前記識別データを取得し、前記識別データを前記第２の基地局に送信することを前記トランシーバ回路に指示するように構成されている隣接発見モジュールとを具備し、
前記識別データは、前記識別信号に関係付けられている装置。
【請求項３９】
前記識別データは、セクタＩＤとＡＮＩＤとのうちの少なくとも１つを含む請求項３８記載の装置。
【請求項４０】
前記アクセス端末は、前記第２の基地局と一体化されている請求項３８記載の装置。
【請求項４１】
前記第２の基地局は、前記識別信号の少なくとも一部を、前記第２の基地局に既知である現在登録されている基地局の隣接リストと比較することによって、前記識別信号に基づいて、前記第１の基地局が既知の基地局であるかどうかを決定する請求項３８記載の装置。
【請求項４２】
前記トランシーバ回路および隣接発見モジュールは、前記第１の基地局の前記識別信号および前記識別データのうちの少なくとも１つと、第３の隣接基地局の識別信号および識別データのうちの対応する少なくとも１つとの間の競合が、前記第２の基地局によって検出されるとき、前記第２の基地局による、前記第１の基地局と前記第３の基地局との間の調停に基づいて、前記第１の基地局と前記第３の基地局とのうちの少なくとも１つから、更新された識別信号と、更新された識別データとのうちの少なくとも１つを受信するようにさらに構成されている請求項３８記載の装置。
【請求項４３】
通信システム中の基地局の隣接発見に用いるアクセス端末における装置において、
アクセス端末において、通信ネットワーク中の第１の基地局からの識別信号を検出する手段と、
前記識別信号に基づく、前記アクセス端末が前記第１の基地局にハンドオフすることを支援する要求を、第２の基地局に送信する手段と、
前記第１の基地局が既知の基地局でないことを前記第２の基地局が決定するとき、前記第１の基地局の識別データを要求するメッセージを前記第２の基地局から受信する手段と、
前記第１の基地局から前記識別データを取得する手段と、
前記識別データを前記第２の基地局に送信する手段とを具備し、
前記識別データは、前記識別信号に関係付けられている装置。
【請求項４４】
前記識別データは、セクタＩＤとＡＮＩＤとのうちの少なくとも１つを含む請求項４３記載の装置。
【請求項４５】
前記アクセス端末は、前記第２の基地局と一体化されている請求項４３記載の装置。
【請求項４６】
前記第２の基地局は、前記識別信号の少なくとも一部を、前記第２の基地局に既知である現在登録されている基地局の隣接リストと比較することによって、前記識別信号に基づいて、前記第１の基地局が既知の基地局であるかどうかを決定する請求項４３記載の装置。
【請求項４７】
前記第１の基地局の前記識別信号および前記識別データのうちの少なくとも１つと、第３の隣接基地局の識別信号および識別データのうちの対応する少なくとも１つとの間の競合が、前記第２の基地局によって検出されるとき、前記第２の基地局による、前記第１の基地局と前記第３の基地局との間の調停に基づいて、前記第１の基地局と前記第３の基地局とのうちの少なくとも１つから、更新された識別信号と、更新された識別データとのうちの少なくとも１つを受信する手段をさらに具備する請求項４３記載の装置。
【請求項４８】
アクセス端末において使用される装置に備えられた中央処理ユニットに読み取り可能記憶媒体において、
アクセス端末において、通信ネットワーク中の第１の基地局からの識別信号を検出することを中央処理ユニットに生じさせるためのコードと、
前記識別信号に基づく、前記アクセス端末が前記第１の基地局にハンドオフすることを支援する要求を、第２の基地局に送信することを中央処理ユニットに生じさせるためのコードと、
前記第１の基地局が既知の基地局でないことを前記第２の基地局が決定するとき、前記第１の基地局の識別データを要求するメッセージを前記第２の基地局から受信することを中央処理ユニットに生じさせるためのコードと、
前記第１の基地局から前記識別データを取得することを中央処理ユニットに生じさせるためのコードと、
前記識別データを前記第２の基地局に送信することを中央処理ユニットに生じさせるためのコードとを含み、
前記識別データは、前記識別信号に関係付けられている中央処理ユニットに読み取り可能記憶媒体。
【請求項４９】
前記識別データは、セクタＩＤとＡＮＩＤとのうちの少なくとも１つを含む請求項４８記載の中央処理ユニットに読み取り可能記憶媒体。
【請求項５０】
前記アクセス端末は、前記第２の基地局と一体化されている請求項４８記載の中央処理ユニットに読み取り可能記憶媒体。
【請求項５１】
前記第２の基地局は、前記識別信号の少なくとも一部を、前記第２の基地局に既知である現在登録されている基地局の隣接リストと比較することによって、前記識別信号に基づいて、前記第１の基地局が既知の基地局であるかどうかを決定する請求項４８記載の中央処理ユニットに読み取り可能記憶媒体。
【請求項５２】
前記第１の基地局の前記識別信号および前記識別データのうちの少なくとも１つと、第３の隣接基地局の識別信号および識別データのうちの対応する少なくとも１つとの間の競合が、前記第２の基地局によって検出されるとき、前記第２の基地局による、前記第１の基地局と前記第３の基地局との間の調停に基づいて、前記第１の基地局と前記第３の基地局とのうちの少なくとも１つから、更新された識別信号と、更新された識別データとのうちの少なくとも１つを受信することを中央処理ユニットに生じさせるためのコードをさらに含む請求項４８記載の中央処理ユニットに読み取り可能記憶媒体。
【発明の詳細な説明】
【合衆国法典第３５部第１１９条に基づく優先権の主張】
【０００１】
特許に対する本出願は、２００７年６月１８日に出願された、“通信ネットワーク中の基地局の隣接発見”と題し、この出願の譲受人に譲渡され、参照により明白にここに組み込まれている仮出願第６０／９４４，７１１号に対する優先権を主張する。
【背景】
【０００２】
分野
本開示は一般に、通信システム中の基地局の隣接発見のための方法および装置に関し、より詳細には、アクセス端末の支援を有する、基地局による自動化された隣接発見に関する。
【０００３】
背景
ワイヤレス通信システムのような通信システムにおいて、通信コンテンツをサーブする基地局は、通信システム内の隣接基地局に関するデータを維持してもよい。隣接基地局は、特定の基地局を基準として地理的に位置している基地局であり、隣接基地局は、移動通信がロケーションを変えるときに、特定の基地局によって現在サーブされている移動通信デバイスをハンドオフしてもよい、実行可能な候補を表す。
【０００４】
ウルトラモバイルブロードバンド（ＵＭＢ）技術、または進化型パケットシステム（ＥＰＳ）を有するＬＴＥ（ロングタームエボリューション技術）を用いるような、いくつかのワイヤレス通信システムにおいて、基地局をリンクしている通信ネットワークを基地局によって使用して、ネットワークにおける他の基地局（例えば、アクセスゲートウェイ（ＡＧＷ）を通して接続される、無線エリアネットワーク（ＲＡＮ）のような統合型アクセスネットワークにおける進化型基地局（ｅＢＳ））に対して、それぞれの情報を伝達してもよい。さらに、そのようなシステムにおいて、アクセス端末（ＡＴ）が、１つの基地局から別の基地局へのハンドオフを受けるとき、ＡＴは、ハンドオフ時に隣接基地局情報（例えば、パイロットＩＤ）を報告し、それにより、オーバーヘッドリソースが節約される。通常、ネットワークの隣接基地局が、ハンドオフをする基地局に知られている場合、識別する情報は、ネットワーク内でハンドオフをするには十分である。しかしながら、新しい基地局がＲＡＮに追加される、またはＲＡＮから取り除かれる場合、これらの従来のシステムは、オペレータがすべての影響をうける基地局を手動で再設定することを必要とし、特に、一時的な基地局がネットワーク内で使用される場合、そのような再設定は特に負担になり、取得を高価にさせ、あまり均質でない。
【概要】
【０００５】
１つの観点にしたがう、通信システム中の第２の基地局によって第１の基地局を発見する方法を開示する。方法は、通信システム中の第１の基地局からの識別信号のアクセス端末による検出に基づく、アクセス端末が第２の基地局から第１の基地局にハンドオフすることを支援する第１のメッセージを、アクセス端末から受信することを含む。方法は、識別信号に基づいて、第１の基地局が既知の基地局であるかどうかを決定することと、第１の基地局が既知の基地局でないという決定がなされるとき、第１の基地局のネットワーク識別を要求する第２のメッセージをアクセス端末に送信することとをさらに含む。方法はまた、第２のメッセージに応答した、第１の基地局のネットワーク識別を含む第３のメッセージを、アクセス端末から受信することと、ネットワーク識別に基づいて、識別データに対する要求を第１の基地局に送ることとを含む。
【０００６】
別の観点にしたがう、通信ネットワーク中の基地局を発見することに用いる装置を開示する。装置は、通信システム中の第１の基地局からの識別信号のアクセス端末による検出に基づく、アクセス端末が第２の基地局から第１の基地局にハンドオフすることを支援する第１のメッセージを、アクセス端末から受信するように構成されているトランシーバ回路を含む。装置はまた、識別信号に基づいて、第１の基地局が既知の基地局であるかどうかを決定するように構成されている隣接発見モジュールと、第１の基地局のネットワーク識別に基づいて、ネットワークリンクを通して、識別データに対する要求を前記第１の基地局に送るように構成されているネットワークインターフェース回路とを含む。トランシーバ回路は、第１の基地局が既知の基地局でないという決定が隣接発見モジュールによってなされるとき、第１の基地局のネットワーク識別を要求する第２のメッセージをアクセス端末に送信し、第２のメッセージに応答した、第１の基地局のネットワーク識別を含む第３のメッセージを、アクセス端末から受信するようにさらに構成されている。
【０００７】
さらなる観点にしたがう、通信システムに用いる装置を開示する。通信システムに用いる装置は、通信システム中の第１の基地局からの識別信号のアクセス端末による検出に基づく、アクセス端末が第２の基地局から第１の基地局にハンドオフすることを支援する第１のメッセージを、アクセス端末から受信する手段を含む。装置はまた、識別信号に基づいて、第１の基地局が既知の基地局であるかどうかを決定する手段と、第１の基地局が既知の基地局でないという決定がなされるとき、第１の基地局のネットワーク識別を要求する第２のメッセージをアクセス端末に送信する手段とを含む。さらに装置は、第２のメッセージに応答した、第１の基地局のネットワーク識別を含む第３のメッセージを、アクセス端末から受信する手段と、ネットワーク識別に基づいて、識別データに対する要求を第１の基地局に送る手段とを含む。
【０００８】
さらに別の観点にしたがう、コンピュータ読み取り可能媒体を備えるコンピュータプログラムプロダクトを開示する。媒体は、通信システム中の第１の基地局からの識別信号のアクセス端末による検出に基づく、アクセス端末が第２の基地局から第１の基地局にハンドオフすることを支援する第１のメッセージを、アクセス端末から受信することをコンピュータに生じさせるためのコードを含む。媒体はまた、識別信号に基づいて、第１の基地局が既知の基地局であるかどうかを決定することをコンピュータに生じさせるためのコードと、第１の基地局が既知の基地局でないという決定がなされるとき、第１の基地局のネットワーク識別を要求する第２のメッセージをアクセス端末に送信することをコンピュータに生じさせるためのコードとを含む。媒体は、第２のメッセージに応答した、第１の基地局のネットワーク識別を含む第３のメッセージを、アクセス端末から受信することをコンピュータに生じさせるためのコードと、ネットワーク識別に基づいて、識別データに対する要求を第１の基地局に送ることをコンピュータに生じさせるためのコードとをさらに含む。
【０００９】
さらなる観点にしたがう、通信システム中の基地局を発見する方法を開示する。方法は、アクセス端末において、通信ネットワーク中の第１の基地局からの識別信号を検出することと、識別信号に基づく、アクセス端末が前記第１の基地局にハンドオフすることを支援する要求を、第２の基地局に送信することとを含む。方法は、第１の基地局が既知の基地局でないことを第２の基地局が決定するとき、第１の基地局の識別データを要求するメッセージを第２の基地局から受信することと、第１の基地局から識別データを取得することと、識別データを第２の基地局に送信することとを含む。
【００１０】
さらに別の観点にしたがう、通信システム中の基地局の隣接発見に用いるアクセス端末における装置を開示する。装置は、アクセス端末において、通信ネットワーク中の第１の基地局からの識別信号を検出し、識別信号に基づく、アクセス端末が前記第１の基地局にハンドオフすることを支援する要求を、第２の基地局に送信し、第１の基地局が既知の基地局でないことを第２の基地局が決定するとき、第１の基地局の識別データを要求するメッセージを第２の基地局から受信するように構成されているトランシーバ回路を含む。装置はまた、第１の基地局から識別データを取得し、識別データを第２の基地局に送信することをトランシーバ回路に指示するように構成されている隣接発見モジュールを含む。
【００１１】
別の観点にしたがう、通信システム中の基地局の隣接発見に用いるアクセス端末における装置を開示する。装置は、アクセス端末において、通信ネットワーク中の第１の基地局からの識別信号を検出する手段と、識別信号に基づく、アクセス端末が前記第１の基地局にハンドオフすることを支援する要求を、第２の基地局に送信する手段とを含む。装置はまた、第１の基地局が既知の基地局でないことを第２の基地局が決定するとき、第１の基地局の識別データを要求するメッセージを第２の基地局から受信する手段と、第１の基地局から識別データを取得する手段と、識別データを第２の基地局に送信する手段とを含む。
【００１２】
さらにもう１つの観点にしたがう、コンピュータ読み取り可能媒体を備えるコンピュータプログラムプロダクトを開示する。媒体は、アクセス端末において、通信ネットワーク中の第１の基地局からの識別信号を検出することをコンピュータに生じさせるためのコードと、識別信号に基づく、アクセス端末が前記第１の基地局にハンドオフすることを支援する要求を、第２の基地局に送信することをコンピュータに生じさせるためのコードと、第１の基地局が既知の基地局でないことを第２の基地局が決定するとき、第１の基地局の識別データを要求するメッセージを前記第２の基地局から受信することをコンピュータに生じさせるためのコードとを含む。媒体は、第１の基地局から識別データを取得することをコンピュータに生じさせるためのコードと、識別データを第２の基地局に送信することをコンピュータに生じさせるためのコードとをさらに含む。
【図面の簡単な説明】
【００１３】
【図１】図１は、隣接基地局発見のための方法および装置を用いる通信システムである。
【図２】図２は、通信システムに対する、隣接基地局を発見する例示的な方法のコールフロー図である。
【図３】図３は、通信システム中の隣接基地局を発見する例示的な方法のフロー図である。
【図４】図４は、通信システム中の隣接基地局を発見するための装置の例示的な構成である。
【図５】図５は、通信システム中の基地局の隣接発見のために、アクセス端末または類似のデバイスにおいて使用してもよい例示的な方法のフロー図である。
【図６】図６は、通信システム中の基地局の隣接発見のために、アクセス端末または類似のデバイスにおいて利用してもよい例示的な装置である。
【図７】図７は、一体化された基地局およびアクセス端末を有する、隣接基地局発見を利用する通信システムの別の例である。
【図８】図８は、隣接基地局発見のさらなる観点を利用する通信システムのさらに別の例である。
【図９】図９は、通信システム中の基地局の隣接発見のために利用してもよい、別の例示的な装置である。
【図１０】図１０は、通信システム中の基地局の隣接発見のために利用してもよい、さらなる例示的な装置である。
【詳細な説明】
【００１４】
現在開示している方法および装置は、通信システム中の基地局の隣接発見（ＮＤ）、より詳細には、アクセス端末の支援を有する、基地局による自動の隣接発見をもたらす。すなわち、基地局からのブロードキャスト識別情報をワイヤレスで検出するアクセス端末は、その情報を他の基地局に伝達して、ＮＤにおいて基地局を支援する。いったんＮＤが実行されると、基地局は基地局のネットワーク（例えば、ＲＡＮ）を更新してもよく、それにより、ゲートウェイ／ネットワークのような、いずれか１つまたは多数の手段を通して、隣接基地局間で情報が交換され、十分な動作性能が達成される。アクセス端末によってすでに正常に検出され、ハンドオフの間に基地局に報告される識別情報（例えば、パイロットＩＤ）を利用することにより、新しく追加される（または落とされる）基地局の手動の設定を除去してもよい。
【００１５】
以下で記述する例において、簡潔および明瞭のために、本開示は、ウルトラモバイルブロードバンド（ＵＭＢ）技術に関係付けられた用語を使用する。しかしながら、現在記述している例は、コード分割多元接続（ＣＤＭＡ）や、時分割多元接続（ＴＤＭＡ）や、周波数分割多元接続（ＦＤＭＡ）や、直交周波数分割多元接続（ＯＦＤＭＡ）などに関連する技術のような、他の技術にも適用可能であることを強調すべきである。開示する方法および装置を他の技術に適用するとき、関係付けられる用語は、明らかに異なることを当業者は理解するだろう。
【００１６】
図１に目を向けると、この図は、通信システム１００を図示し、通信システム１００において、現在開示している方法および装置を利用してもよい。示すように、通信システム１００は、少なくとも１つの基地局１０２または類似の装置を含み、少なくとも１つの基地局１０２または類似の装置は、アクセス端末１０４（ＡＴ）のような１つ以上の移動デバイスに対する通信をサーブするように機能する。ＵＭＢの術語体系を使用するこの特定の例において、基地局１０２は、ｅＢＳ1の名称が与えられた進化型基地局（ｅＢＳ）である。
【００１７】
通信システム１００における各基地局は、ゲートウェイ／ネットワーク１０６と通信している。再度ＵＭＢの術語体系を使用すると、ゲートウェイ／ネットワーク１０６は、インターネットのようなワイドエリアネットワークに接続する、アクセスゲートウェイ（ＡＧＷ）から構成されていてもよい。カップリング１０８のような、基地局（ｅＢＳ）に対するゲートウェイ／ネットワークの結合は、通信システム１００における各ｅＢＳに対してインターネットプロトコル（ＩＰ）の拡張を与え、システム１００における基地局間で、ＡＴのより高速な切り換えを可能にする。ゲートウェイ／ネットワーク１０６と通信している全ｅＢＳは、統合型アクセスネットワークまたは無線アクセスネットワーク（ＲＡＮ）１０９をもたらす。
【００１８】
通信システム１００中の各基地局は、オーバーヘッドチャネル上で、それぞれのコンタクト情報または識別情報を定期的に送信する。ＵＭＢの術語体系を使用する識別情報に含まれる情報のタイプの例は、ネットワーク識別情報（例えば、ＩＰアドレスを含んでいてもよいＡＮＩＤ、ネットワーク識別情報をＩＰアドレスにマッピングするメカニズム、またはセクタＩＤ）だけでなく、パイロットＩＤも含む。したがって、ＡＴ１０４のようなＡＴが、図１中のｅＢＳ2 １１０のような、別の隣接ｅＢＳからの、パイロットチャネルを、より詳細には、パイロットＩＤを最初に検出するとき、第２の基地局ｅＢＳ2のネットワークＩＤ情報は、ｅＢＳ1からｅＢＳ2へのハンドオフにおいてＡＴ１０４を支援するために、現在サーブしている基地局ｅＢＳ1によって知られる必要がある。
【００１９】
隣接基地局のネットワーク情報が、現在サーブしている基地局に知られてない場合、十分な通信システム機能（例えば、ページングおよびデータトンネリング）を提供するために、識別情報により基地局を設定することが必要とされる。そのような識別情報の例は、一般に、基地局のＩＰアドレス、地理的ロケーション、ページング関連情報、トポロジーおよびルーティング情報、ならびに、プロトコルインターフェースのバージョンを含んでいてもよい。図１のシステムにおいて、各基地局は、ＡＴワイヤレス通信と、他の基地局によって、それに対してワイヤレスで送信される付随情報とを利用して、基地局によって維持される隣接リストに基地局を自動的に追加するか、または（基地局が運用を中止する場合に）隣接リストから基地局を自動的に削除するように設定されていてもよい。
【００２０】
自動化された隣接発見（ＮＤ）の１つの観点において、基地局ｅＢＳ1によって現在サーブされている、通信システム中のＡＴ１０４は、隣接基地局１１０からの、識別データ（例えば、パイロットＩＤおよび、ＡＮＩＤまたはセクタＩＤ）を含む信号１１２を検出する。前に述べたように、１つのｅＢＳ（すなわち、サービングｅＢＳ１０２）から別のｅＢＳ（例えば、“ターゲット”ｅＢＳと呼ばれるｅＢＳ１１０）への、ＡＴ１０４のハンドオフのようないくつかの動作に対して、すべてのＢＳが互いの動作パラメータおよび能力に関する情報を有することが望ましい。
【００２１】
したがって、通信リンク１１４によって図示されるように、ＡＴ１０４は、送信された識別データ１１２から検出された識別データを、現在サーブしている基地局１０２に伝達または報告してもよい。基地局１０２が基地局１１０を認識していない場合、通信リンク１１６によって図示されるように、基地局１０２は、知られていない基地局（この例における１１０）に関するネットワーク識別情報（例えば、ＡＮＩＤまたはセクタＩＤ）をＡＴ１０４に要求する。この時点で、ＡＴ１０４は、ＡＮＩＤまたはセクタＩＤ情報により、ｅＢＳ1からの要求に応答してもよい。
【００２２】
いったんｅＢＳ1が、新しい基地局ｅＢＳ2 １１０に関するセクタＩＤ情報を有すると、一例としてゲートウェイ／ネットワーク（および通信リンク１０８、１１８）を通して、１つ以上の要求されるデータに対する問い合わせを、ｅＢＳ2のアドレスに対してｅＢＳ1によって発行してもよい。新しい基地局ｅＢＳ2は、ゲートウェイ／ネットワーク１０６を通して、要求された情報をｅＢＳ1に送信し、その情報により、ｅＢＳ1 １０２は、潜在的に実行可能なターゲット隣接基地局の跡を追うために、その隣接リストまたは類似のデータ構造を更新する。別の観点にしたがうと、新しい基地局ｅＢＳ2はまた、ゲートウェイ／ネットワーク１０６を通して基地局ｅＢＳ1に対して隣接発見要求を開始してもよい。ゲートウェイ／ネットワーク１０６を介する、１つ以上の要求されるデータに対する問い合わせは、例示にすぎず、そのようなものに限定されず、この情報は、セクタＩＤアドレス情報を使用するワイヤレスリンクを含む任意の数のさまざまな手段によって交換してもよいことが注目される。
【００２３】
図２は、図１の通信システムにおいて使用してもよい、隣接発見のためのプロセスのコールフロー図を図示する。示すように、図示するコールフローは、アクセス端末ＡＴ ２０２と、第１のサービング基地局ｅＢＳ1 ２０４と、ターゲット基地局ｅＢＳ2 ２０６との間で発生する。コールフロー２００の垂直方向は、時間またはさまざまなデバイス間のメッセージの一連の順序を表すことが注目される。
【００２４】
ブロック２０８によって図示するように、ＡＴ２０２は、現在サーブしている基地局ｅＢＳ1 ２０４以外の別の基地局ｅＢＳ2 ２０６からのパイロットを検出または知覚してもよい。ＡＴ２０２がｅＢＳ2 ２０６からのパイロットＩＤ（以下、この例においてパイロットＩＤ２と呼ぶ）を検出するとき、メッセージ２１０によって示すように、ＡＴ２０２は、現在サーブしているｅＢＳ1 ２０４にパイロットＩＤ２を報告する。ｅＢＳ1 ２０４がパイロットＩＤ２に基づいてｅＢＳ2 ２０６を認識しない場合（一例として、ｅＢＳ2がネットワークに新たに加えられているときに生じるかもしれない）、メッセージ２１２によって説明するように、ｅＢＳ1は、パイロットＩＤ２に関係付けられたセクタＩＤに対する要求メッセージによりＡＴ２０２に応答する。要求２１２に応答して、ＡＴ２０２は、ｅＢＳ2 ２０６によって送信されたパイロットからワイヤレスで取得したようなパイロットＩＤ２のセクタＩＤを有する応答２１４をｅＢＳ1 ２０４に送る。
【００２５】
いったん基地局ｅＢＳ1 ２０４が、ｅＢＳ2 ２０６に対するセクタＩＤ情報を有すると、ｅＢＳ1 ２０４は、ｅＢＳ2 ２０６に対して隣接発見（ＮＤ）要求２１６を送信して、隣接発見手続き（例えば、プロトコルの改定、サポートされているＡＧＷアドレス、ロケーション、ゾーン情報などを取得すること）を開始する。特に、ｅＢＳ1 ２０４は、図１中の１０６のような、ＡＧＷまたは他の適切なゲートウェイ／ネットワークを通して、ｅＢＳ2 ２０６に要求２１６を送信してもよい。応答において、ｅＢＳ2 ２０６は、要求している基地局ｅＢＳ1 ２０４に対して隣接発見報告メッセージ２１８を送ってもよい。さらに、要求２１６はｅＢＳ1に関係付けられたパイロットＩＤ（すなわち、パイロットＩＤ１）を含んでいてもよく、ここでｅＢＳ2はｅＢＳ1をパイロットＩＤ１に関係付ける。ｅＢＳ1におけるタイマーによって測定される、規定されている時間期間２２０を用いて、要求は、あるタイミング内で確実に返答されるようにしてもよい。タイマーは、ｅＢＳ2からｅＢＳ1に送信される報告メッセージ２１８の受信によって停止される。報告メッセージが受信されるとき、ｅＢＳ1 ２０４は、ｅＢＳ2をパイロットＩＤ２に関係付け、ｅＢＳ2のＮＤ情報を記憶する（および、使用されている場合、タイマーを停止する）。
【００２６】
さらなる代替として、新しい基地局ｅＢＳ2 ２０６は、ｅＢＳ1 ２０４によって送られたメッセージ２１６に類似する、ｅＢＳ1 ２０４からＮＤ情報を要求するメッセージ２２２を送ってもよい。応答において、ｅＢＳ1 ２０４はメッセージ２２４を発行して、ｅＢＳ2 ２０６に対してそのＮＤ情報を報告する。さらに、ｅＢＳ2 ２０６はタイマーを用いて、規定されている時間期間２２６を測定してもよい。したがって、ｅＢＳ2 ２０６がメッセージ２２２を送るとき、タイマーは開始され、その後メッセージ２２４を受信すると停止される。
【００２７】
図３は、図１のシステムとともに使用してもよい、隣接発見に対する方法のフロー図を図示する。特に、方法３００は、図１および２によって説明されているｅＢＳ1またはｅＢＳ2のような基地局において実現してもよい。示すように、初期化後に、方法３００はブロック３０２を含み、ブロック３０２において基地局（例えば、ｅＢＳ1）は、通信ネットワーク中の第１の基地局（例えば、ｅＢＳ2）からの識別信号のアクセス端末による検出に基づく第１のメッセージをＡＴから受信する。このプロセスは、図２中のメッセージ２１０に類似しており、識別信号はパイロットＩＤである。ブロック３０２のプロセスはＡＴからの要求によって開始されてもよく、ＡＴは、例えば、ハンドオフする、実行可能なターゲット基地局を決定するための支援を求めているような状況にあることが注目される。
【００２８】
ブロック３０２の後、フローは、決定ブロック３０４に進み、決定ブロック３０４において、識別信号（例えば、パイロットＩＤ）に基づいて、第１の基地局が認識されている基地局であるかどうか決定がなされる。基地局において記憶されている隣接テーブルをサーチすることによって、このチェックを達成して、パイロットＩＤが既知であるかどうかを決定してもよい。基地局がパイロットＩＤを認識する場合、この時点で、さらなる隣接発見を実行することを必要とせず、プロセス３００は終了してもよい。代わりに、基地局のパイロットＩＤが知られていない場合、フローはブロック３０６に進む。ブロック３０６において、ネットワーク識別を要求する第２のメッセージが、基地局によってＡＴに送られる。ネットワーク識別を要求する第２のメッセージは、他の基地局のパイロットからＡＴによって獲得されてもよい。ブロック３０６の、この第２のメッセージは、一例として、図２中のメッセージ２１２に類似しており、ネットワーク識別（例えば、セクタＩＤまたはＡＮＩＤ）が要求される。
【００２９】
ブロック３０６後に、フローはブロック３０８に進み、ブロック３０８において基地局は、ブロック３０６の要求に応答した、第１の基地局に対するネットワーク識別を含む第３のメッセージを、ＡＴから受信する。ブロック３０８のプロセスにおける第３のメッセージは、一例として、図２中で説明したメッセージ２１４に類似しており、ネットワーク識別は、セクタＩＤまたはＡＮＩＤであってもよいことが注目される。ネットワーク識別を受信後、ブロック３１０によって説明するように、基地局は、ネットワーク識別に基づいて、第１の基地局に特有の識別データに対する要求を第１の基地局に送る。ネットワーク識別に基づいた、ブロック３１０における要求を送信するプロセスは、ネットワーク識別に基づいて要求を送る際に、第１の基地局のネットワーク識別を使用して、第１の基地局のＩＰアドレスを最初に決定すること、または導き出すことを含んでいてもよいことが注目される。要求は、ワイヤレスリソースによるものの代わりに、図１中で図示したゲートウェイ／ネットワーク１０６のようなネットワークによって送信してもよいが、ネットワークは、それに限定されず、ワイヤレスリソースを含むさまざまな手段を含んでいてもよい。ブロック３１０における要求の例は、図２中のＮＤ要求２１６である。さらに、第１の基地局に関する、要求される識別データは一般に、限定されないが、第１の基地局の地理的ロケーション、ページング関連情報、トポロジーおよびルーティング情報、ならびにプロトコルインターフェースのバージョンを含んでいてもよい。
【００３０】
サービング基地局の見地から、ブロック３１０における要求が、ネットワークによって送られた後、隣接発見（ＮＤ）を開始するプロセス３００は、完成したものとして特徴付けることができる。しかしながら、第１の基地局からの識別データの受信により、第１の基地局へのハンドオフの際に、サービング基地局がＡＴを支援することを可能にする隣接発見プロセスが完成されることが直感的に分かる。したがって、第１の基地局からの識別データの受信を示し、サービング基地局にける隣接リストを更新する、（点線で示されている）さらなる代替ブロック３１２が、図３中で説明されている。ブロック３１２のプロセスは、図２中で示したＮＤ報告メッセージ２１８に類似している。
【００３１】
さらなる代替として、方法３００は、方法３００を実行する装置（すなわち、別の基地局）に既知の隣接情報（例えば、隣接リスト）に対する要求を第１の基地局から受信することを含んでいてもよい。次に、点線ブロック３１４によって説明されるように、装置は、要求する第１の基地局に対して隣接情報を送る。ブロック３１４のプロセスは、図２中で説明したメッセージ２２２および２２４によってもたらされる機能に類似している。
【００３２】
図４は、上述した方法を実行する装置４００の例示的な構成を概略的に示す。装置４００は、単なる一例として、ｅＢＳにより実現されるサーバにおいて、または他の任意の適切な装置において実現してもよい。装置４００は、中央データバス４０２、またはいくつかの回路を互いにリンクする類似のデバイスを備えている。回路は、ＣＰＵ（中央処理ユニット）または制御装置４０４と、トランシーバ回路４０６と、ネットワークインターフェース回路４０８と、メモリユニット４１０とを含む。
【００３３】
トランシーバ回路４０６は、中央データバス４０２に送出する前に受信信号を処理する受信機回路と、例えば、図示したＡＴに対してデバイス４００から送出する前に、データバス４０２からのデータを処理し、バッファリングする送信回路とを含む。さらに、装置４００が基地局において用いられるケースにおいて、トランシーバ回路４０６は、１つ以上のＡＴに対してワイヤレスリンク４１０によって送信するＲＦ回路を含んでいてもよい。
【００３４】
ＣＰＵ／制御装置４０４は、データバス４０２のデータ管理の機能と、さらには、メモリユニット４１０の命令コンテンツを実行することを含む、汎用データ処理の機能とを実行する。図４中で示すように、別々に実現する代わりに、代替として、トランシーバ回路４０６を、ＣＰＵ／制御装置４０４の一部として組み込むことができることが注目される。さらなる代替として、全装置４００は、特定用途向け集積回路（ＡＳＩＣ）または類似の装置として実現してもよい。
【００３５】
メモリユニット４１０は、１つ以上の組の命令／モジュールを含んでいてもよい。例示的な装置４００において、命令／モジュールは、とりわけ、隣接発見（ＮＤ）機能４１４を含み、隣接発見（ＮＤ）機能４１４は、ここで記述した方法をもたらすように構成されている。メモリユニット４１４は隣接リスト４１６または類似のデータ構造をさらに含んでいてもよく、隣接リスト４１６または類似のデータ構造は、とりわけ、隣接データの識別データを記憶し、または、識別データの少なくとも一部により他の記憶装置を参照する。
【００３６】
図４の例において、メモリユニット４１０は、ＲＡＭ（ランダムアクセスメモリ）回路であってもよい。機能４１４のような例示的な部分は、ソフトウェアルーチン、モジュールおよび／またはデータセットである。メモリユニット４１０は、揮発性または不揮発性のタイプのいずれかとすることができる、（示していない）別のメモリ回路に結び付けることができる。代替として、メモリユニット４１０は、ＥＥＰＲＯＭ（電気的に消去可能なプログラマブル読み出し専用メモリ）、ＥＰＲＯＭ（電気的プログラマブル読み出し専用メモリ）、ＲＯＭ（読み出し専用メモリ）、ＡＳＩＣ（特定用途向け集積回路）、磁気ディスク、光学ディスク、および技術的によく知られている他のコンピュータ読み取り可能媒体のような、他の回路のタイプから製造できる。
【００３７】
ネットワークインターフェース回路４０８を使用して、ゲートウェイ／ネットワーク１０６に類似するゲートウェイ／ネットワーク４１８との通信のような隣接発見機能を実施してもよい。特に、回路４０８を使用して、通信ネットワーク４１８中の他の装置から識別データを取得するために、とりわけ、隣接発見のために、メッセージを送信および受信してもよい。
【００３８】
図５は、ネットワーク中の基地局の隣接発見のためにＡＴまたは類似のデバイスによって実施してもよい、例示的な方法のフロー図を図示する。示すように、方法５００はブロック５０２を含み、ブロック５０２において、ＡＴは、通信中の第１の基地局からの識別信号を検出する。この検出は、第１の基地局のパイロットチャネルを検出することを含んでいてもよく、識別信号は、第１の基地局のパイロットＩＤを含んでいてもよい。この検出の例は、図２中のブロック２０８によって説明されている。識別信号の検出後に、ブロック５０４によって説明されるように、ＡＴは、識別信号に基づく、ＡＴが第１の基地局にハンドオフすることを支援する要求を、第２の基地局に送信する。このメッセージ要求は、図２によって説明される報告メッセージ２１０に類似していることが注目される。
【００３９】
ブロック５０４におけるメッセージが送信された後、第２の基地局は、第１の基地局が通信ネットワークにおいて既知であるかどうかを決定する。既知でない場合、第２の基地局は、第１の基地局に関するネットワーク識別情報を要求するメッセージをＡＴに送信する。したがって、ブロック５０６によって説明されているように、ＡＴの見地から、第１の基地局が既知の基地局ではないことを第２の基地局が決定するとき、ＡＴは第２の基地局からメッセージを受信し、メッセージは、第１の基地局に関する、ＡＴからのネットワーク識別データを要求する。ブロック５０６のプロセスは、図２中の要求２１２によって例示してもよく、ネットワーク識別データは、第１の基地局に対するセクタＩＤまたはＡＮＩＤを含んでいてもよいことが注目される。
【００４０】
ブロック５０６のプロセスの後に、方法５００はブロック５０８に進み、ブロック５０８においてＡＴは、ネットワーク識別データ（例えば、セクタＩＤ）を取得する。先に説明したように、第１の基地局（例えば、図１中の１１２）によってブロードキャストされるパイロット信号は、このデータを含む。したがって、例えば、ＡＴはパイロット信号からネットワーク識別データを取得し、ブロック５１０によって説明するように、ネットワーク識別データを第２の基地局に送信する。ブロック５１０のプロセスは、図２中で示したセクタＩＤ応答２１４に類似している。例えば、図２および３に関して以前に論じたように、第２の基地局はネットワーク識別データを利用して、第１の基地局を登録し、基地の隣接に関する第２の基地局のリストに第１の基地局を加えるＮＤ手続きを開始してもよい。
【００４１】
図６は、図５の方法を実施するために利用してもよい例示的な装置６００を図示する。装置６００は、ＡＴまたはＡＴデバイス用の他の適切なハードウェア（例えば、プロセッサ、または回路／モジュールの集合）を構成してもよい。図示したように、装置６００は、いくつかの回路を互いにリンクするために、中央データバス６０２または類似のデバイスを含む。回路は、ＣＰＵ（中央処理ユニット）または制御装置６０４、トランシーバ回路６０６、ネットワークおよびメモリユニット６０８を含む。
【００４２】
トランシーバ回路６０６は、中央データバス６０２に送出する前に受信信号を処理する受信機回路と、ワイヤレス通信リンク６１０によって図示するように、１つ以上のｅＢＳに対してデバイス６００から送出する前に、データバス６０２からのデータを処理し、バッファリングする送信回路とを含む。したがって、トランシーバ回路６０６は、１つ以上のｅＢＳに対してワイヤレスリンク６１０によって送信するＲＦ回路を含んでいてもよい。
【００４３】
ＣＰＵ／制御装置６０６は、データバス６０２のデータ管理の機能と、さらには、メモリユニット４１０の命令コンテンツを実行することを含む、汎用データ処理の機能とを実行する。図６中で示すように、別々に実現する代わりに、代替として、トランシーバ回路６０６を、ＣＰＵ／制御装置６０４の一部として組み込むことができることが注目される。さらなる代替として、全装置６００は、特定用途向け集積回路（ＡＳＩＣ）または類似の装置として実現してもよい。メモリユニット６１０は、１つ以上の組の命令／モジュールを含んでいてもよい。例示的な装置６００において、命令／モジュールは、とりわけ、隣接発見（ＮＤ）機能６１２を含み、隣接発見（ＮＤ）機能６１２は、ここで、すなわち図５で記述した方法を実施するように構成されている。
【００４４】
図６の例において、メモリユニット６１０は、ＲＡＭ（ランダムアクセスメモリ）回路であってもよい。機能４１４のような例示的な部分は、ソフトウェアルーチン、モジュールおよび／またはデータセットである。メモリユニット６１０は、揮発性または不揮発性のタイプのいずれかとすることができる、（示していない）別のメモリ回路に結び付けることができる。代替として、メモリユニット６１０は、ＥＥＰＲＯＭ（電気的に消去可能なプログラマブル読み出し専用メモリ）、ＥＰＲＯＭ（電気的プログラマブル読み出し専用メモリ）、ＲＯＭ（読み出し専用メモリ）、ＡＳＩＣ（特定用途向け集積回路）、磁気ディスク、光学ディスク、および技術的によく知られている他のコンピュータ読み取り可能媒体のような、他の回路のタイプから製造できる。
【００４５】
図７は、隣接発見を利用する、別の例の通信システム７００を図示する。この例において、基地局（ｅＢＳ）は、基地局によって現在サーブされている任意のＡＴの代わりに、ＮＤ手続きのために使用される、一体化された、専用のＡＴユニットを含んでいてもよい。図７において見られるように、基地局ｅＢＳ1は、ＡＴ７０４を組み込んでいる。ｅＢＳ1 ７０２内のＡＴ７０４は、図１に関して論じたＡＴ１０４とほぼ同じ方法で、別の隣接基地局（例えば、ｅＢＳ2 ７０８）からのパイロット信号７０６を検出または受信する。しかしながら、ＡＴ７０４は、ＮＤ手続きを効果的に達成するために、別のｅＢＳ（例えば、ｅＢＳ2 ７０８）のワイヤレスの受信範囲内に存在しなければならないことが注目される。パイロット信号の検出後に、ＡＴ７０４と、基地局７０２の他のエレメントとの対話が、図２、４および５に関して以前に論じたのと同じ方法で実行されて、ゲートウェイ／ネットワーク７１０ならびに付随するリンク７１２および７１４によってＮＤが達成される。
【００４６】
図７の例におけるｅＢＳ1およびＡＴは、図４および６に関してここで記述したものと類似の装置により実現してもよいことが注目される。装置４００および６００のエレメントは、オーバーラップしてもよく、図３および５の方法を実行するように構成されているモジュールまたは回路を有する単一のユニットに統合できることがさらに注目される。
【００４７】
図８は、隣接発見を利用する、さらに別の例の通信システム８００を図示する。図８の例において、第１の基地局ｅＢＳ1 ８０２が、ワイヤレスリンク８０６によってＡＴ８０４をサーブする。この例においてＡＴ８０４が現在位置しているエリア８０８は、通信サービス（例えば、音声、ページングなど）がｅＢＳ0 ８１０およびｅＢＳ2 ８１２のような、１つ以上の他の隣接基地局のうちのいずれか１つによってサーブされてもよいカバレッジエリアである。図８の例において、説明のために、ｅＢＳ0 ８１０は、ｅＢＳ1 ８０２に対して既知の隣接者であり、したがって、ｅＢＳ0 ８１０は、ｅＢＳ1に対する隣接リストの一部であると仮定する。新しい基地局、すなわち、ｅＢＳ2 ８１２が、以前に論じた方法によって基地局ｅＢＳ1 ８０２の隣接リストに加えられるとき、基地局ｅＢＳ1は、同じカバレッジエリア８０８を潜在的にサーブするｅＢＳ0 ８１０のような隣接基地局を次に更新するように構成されていてもよい。したがって、ｅＢＳ1 ８０２は、ＮＤ手続きを通してｅＢＳ2から受信した、ｅＢＳ2 ８１２に関する識別データを伝達するだろう。この伝達は、ゲートウェイ／ネットワーク８１４ならびに関連する通信リンク８１６および８１８を通して実施してもよい。したがって、（ｅＢＳ0およびｅＢＳ2を含む）ｅＢＳ1 ８０２の、新しいまたは更新された隣接リストは、ｅＢＳ0 ８１０に伝達されて、その隣接リストが更新される。同様に、ｅＢＳ1はまた、ゲートウェイ／ネットワーク８１４ならびに関連する通信リンク８１６および８２０を通して、新しく発見されたｅＢＳ2 ８１２に対して、その更新された隣接リストを伝達できる。
【００４８】
新しく追加された基地局の識別信号またはネットワーク識別が、既存の隣接基地局の識別信号またはネットワーク識別と競合する、ＮＤ手続き中の例が存在する可能性があることが注目される。そのようなケースにおいて、ＮＤ手続きを実行する基地局は、競合を調停するように構成されていてもよい。説明目的のために、図８中のシステム８００を使用すると、ＡＴ８０４が、以前に記述したＮＤ方法を使用して、新しい基地局ｅＢＳ2 ８１２からの、パイロットＩＤを有するパイロット信号８２２を検出または受信する場合、ＡＴ８０４は、サービング基地局（すなわち、ｅＢＳ1 ８０２）に対してパイロットＩＤを伝達するだろう。サービング基地局が、例えば、隣接基地局ｅＢＳ0 ８１０のパイロットＩＤのような、既存のパイロットＩＤとの競合を検出する場合、サービング基地局ｅＢＳ1 ８０２は、調停を開始できる。調停は、ゲートウェイ／ネットワーク８１４を通して隣接基地局８１０および８１２に伝達するサービング基地局が、基地局８１０または８１２のうちの少なくとも１つに対して、そのそれぞれのパイロットＩＤを変更する要求を発行することから成る。この調停手続きは、当業者に知られている任意の数の適切な方法で実現してもよい。調停プロセスは、新しい基地局８１２の登録と、その現在の隣接リストにおけるすべての基地局に対する、更新された情報の伝達とを開始することを伴っていてもよい。さらに、ワイヤレスリンク８０６により、サービング基地局によって、更新されたパイロットＩＤ情報を能動的に、または代わりに、いくぶん、より受動的な方法で、パイロット信号８２２のＡＴ８０４による継続される検出または受信によって、更新されたパイロットＩＤ情報をＡＴ８０４に伝達してもよい。調停機能は、一例として、図４中で開示した隣接発見機能４１４によって実現してもよいことが注目される。
【００４９】
図９は、基地局の隣接発見のために利用してもよい、通信システム用の装置９００を図示する。基地局において実現してもよい装置９００は、例えば、通信ネットワーク中の第１の基地局からの識別信号のアクセス端末による検出に基づく、アクセス端末が第２の基地局から第１の基地局にハンドオフすることを支援する第１のメッセージを、アクセス端末から受信するモジュール９０２を含む。モジュール９０２によって受信される情報は、バス９０４または類似の適切な通信結合を通して、装置９００中のさまざまな他のモジュールに伝達してもよい。特に、識別信号に基づいて、第１の基地局が既知の基地局であるかどうかを決定するモジュール９０６に、第１のメッセージおよび／または識別信号を伝達してもよい。
【００５０】
装置９００は、例えば、モジュール９０６によって、第１の基地局が既知の基地局でないという決定がなされるとき、第１の基地局のネットワーク識別を要求する第２のメッセージをアクセス端末に送信するモジュール９０８をさらに含む。装置９００はまた、例えば、モジュール９０８によって送られた第２のメッセージに応答した第３のメッセージをアクセス端末から受信するモジュール９１０を含み、第３のメッセージは、第１の基地局のネットワーク識別を含む。また、モジュール９１０によって受信したネットワーク識別に基づいて、識別データに対する要求を第１の基地局に送るモジュール９１２が特徴付けられている。さらに、装置９００は、いずれかのモジュールのプロセスおよび動作を実施するためのコンピュータ読み取り可能命令およびデータを記憶するように構成されている、オプションのコンピュータ読み取り可能媒体またはメモリデバイス９１４を含んでいてもよい。さらに、装置９００は、メモリ９１４中のコンピュータ読み取り可能命令を実行するためのプロセッサ９１６を含んでいてもよく、装置９００中のさまざまなモジュールの１つ以上の機能を実行するように構成されていてもよい。
【００５１】
図１０は、基地局の隣接発見のために利用してもよい、通信システム用の装置１０００を図示する。例えば、アクセス端末において実現してもよい装置１０００は、アクセス端末において、通信ネットワーク中の第１の基地局からの識別信号を検出するモジュール１００２を含む。モジュール１００２によって受信される情報は、バス１００４または他の類似の適切な通信結合を通して、装置１０００中の他のさまざまなモジュールに伝達してもよい。特に、識別信号に基づく、アクセス端末が第１の基地局にハンドオフすることを支援する要求を、第２の基地局に送信するモジュール１００６に、識別信号を伝達してもよい。
【００５２】
装置１０００は、第１の基地局が既知の基地局ではないことを第２の基地局が決定するときに、第１の基地局の識別データを要求するメッセージを第２の基地局から受信するモジュール１００８をさらに含む。第１の基地局から識別データを取得するモジュール１０１０だけでなく、識別データを第２の基地局に送信するモジュール１０１２が含まれている。さらに、装置１０００は、いずれかのモジュールのプロセスおよび動作を実施するためのコンピュータ読み取り可能命令およびデータを記憶するように設定されている、オプションのコンピュータ読み取り可能媒体またはメモリデバイス１０１４を含んでいてもよい。さらに、装置１０００は、メモリ１０１４中のコンピュータ読み取り可能命令を実行するためのプロセッサ１０１６を含んでいてもよく、装置１０００中のさまざまなモジュールの１つ以上の機能を実行するように構成されていてもよい。
【００５３】
上記の説明に照らして、現在開示している方法および装置は、システム中のワイヤレスリソースに対する最小の影響により、通信システムに加えられる隣接基地局の効果的な発見をもたらす。本方法および装置はまた、基地局が通信システムから除去されるときに隣接リストを更新するのに有用であることが当業者によって理解されるだろう。
【００５４】
開示したプロセスにおける、ステップの特定の順序またはヒエラルキーは、例示的なアプローチの一例であることが理解される。デザイン嗜好に基づいて、プロセスにおける、ステップの特定の順序またはヒエラルキーは、本開示の範囲内にとどまりながら並べ替えてもよいことが理解される。方法の請求項は、サンプルの順序におけるさまざまなステップの要素を示し、示した、特定の順序またはヒエラルキーに限定するように向けられていない。
【００５５】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【００５６】
電子ハードウェア、コンピュータソフトウェア、または両方の組み合わせとして、ここで開示した実施形態に関して記述したさまざまな実例となる論理ブロック、モジュール、回路およびアルゴリズムステップを実現してもよいことを、当業者はさらに理解するであろう。ハードウェアおよびソフトウェアのこの互換性を明瞭に図示するために、さまざまな実例となるコンポーネント、ブロック、モジュール、回路、手段およびステップをそれらの機能の点から一般的に上述した。このような機能がハードウェアまたはソフトウェアとして実現されるかどうかは、特定の用途およびシステム全体に課される設計制約によって決まる。それぞれの特定の用途に対してさまざまな方法で、当業者は記述した機能を実現するかもしれないが、このような実現決定は、本開示の範囲から逸脱を生じさせるものとして解釈すべきではない。
【００５７】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここで開示した実施形態に関して記述した、さまざまな実例となる論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００５８】
ここで開示した実施形態に関して記述した方法またはアルゴリズムのステップを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、（示していない）例示的な記憶媒体はプロセッサに結合されていてもよい。代わりに、記憶媒体はプロセッサと一体化されていてもよい。プロセッサおよび記憶媒体は、ＡＳＩＣ中に存在してもよい。ＡＳＩＣはユーザ端末中に存在してもよい。代わりに、プロセッサおよび記憶媒体は、ユーザ端末中にディスクリートコンポーネントとして存在してもよい。
【００５９】
上述の例は単なる例示にすぎず、当業者は、ここで開示した発明の概念から逸脱することなく、上述した例を多数実施してもよく、上述した例から逸脱したものを実施してもよい。これらの例に対してさまざまな修正が当業者に容易に明らかであり、ここで記述した新規な観点の精神または範囲から逸脱することなく、ここで規定した一般的な原理を、例えば、インスタントメッセージングサービスまたは一般的な任意のワイヤレスデータ通信アプリケーションにおいて、他の実施形態に適用してもよい。したがって、本開示の範囲は、ここで示した例に限定されるように意図されていないが、ここで開示した原理および新規な特徴に矛盾しない最も広い範囲に一致すべきである。語“例示的な”は、“例、具体例、または実例としての機能を果たすこと”を意味するようにここではもっぱら使用されていることが注目される。“例示的な”としてここで記述した任意の例は、必ずしも他の例に対して好ましいまたは有利であるように解釈すべきでない。したがって、ここで記述した新規な観点は、特許請求の範囲の範囲によって唯一規定すべきである。
以下に、本願出願の当初の特許請求の範囲に記載された発明を付記する。
［１］通信システム中の第２の基地局によって第１の基地局を発見する方法において、
前記通信システム中の前記第１の基地局からの識別信号のアクセス端末による検出に基づく、前記アクセス端末が前記第２の基地局から前記第１の基地局にハンドオフすることを支援する第１のメッセージを、前記アクセス端末から受信することと、
前記識別信号に基づいて、前記第１の基地局が既知の基地局であるかどうかを決定することと、
前記第１の基地局が既知の基地局でないという決定がなされるとき、前記第１の基地局のネットワーク識別を要求する第２のメッセージを前記アクセス端末に送信することと、
前記第２のメッセージに応答した、前記第１の基地局のネットワーク識別を含む第３のメッセージを、前記アクセス端末から受信することと、
前記ネットワーク識別に基づいて、識別データに対する要求を前記第１の基地局に送ることとを含む方法。
［２］前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む上記［１］記載の方法。
［３］前記アクセス端末は、前記第２の基地局と一体化されている上記［１］記載の方法。
［４］前記ネットワークリンクは、アクセスゲートウェイとＩＰネットワークとのうちの少なくとも１つを含む上記［１］記載の方法。
［５］前記識別信号に基づいて、前記第１の基地局が既知の基地局であるかどうかを決定することは、前記識別信号の少なくとも一部を、前記第２の基地局に既知である現在登録されている基地局の隣接リストと比較することを含む上記［１］記載の方法。
［６］前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第１の基地局と前記第３の基地局との間を調停することをさらに含む上記［５］記載の方法。
［７］前記識別データに対する要求に応答した、前記識別データを含む返答を、前記第１の基地局から受信することと、
前記識別データのうちの少なくとも一部を使用して、前記第２の基地局の隣接リストに前記第１の基地局を登録することとをさらに含む上記［１］記載の方法。
［８］前記ネットワークリンクを通して、前記隣接リスト中の情報のうちの少なくとも一部を、前記通信システム中の少なくとも第３の隣接基地局に送ることをさらに含む上記［７］記載の方法。
［９］通信ネットワーク中の基地局を発見することに用いる装置において、
通信システム中の第１の基地局からの識別信号のアクセス端末による検出に基づく、前記アクセス端末が第２の基地局から第１の基地局にハンドオフすることを支援する第１のメッセージを、前記アクセス端末から受信するように構成されているトランシーバ回路と、
前記識別信号に基づいて、前記第１の基地局が既知の基地局であるかどうかを決定するように構成されている隣接発見モジュールと、
第１の基地局のネットワーク識別に基づいて、ネットワークリンクを通して、識別データに対する要求を前記第１の基地局に送るように構成されているネットワークインターフェース回路とを具備し、
前記トランシーバ回路は、前記第１の基地局が既知の基地局でないという決定が前記隣接発見モジュールによってなされるとき、前記第１の基地局のネットワーク識別を要求する第２のメッセージを前記アクセス端末に送信し、前記第２のメッセージに応答した、前記第１の基地局のネットワーク識別を含む第３のメッセージを、前記アクセス端末から受信するようにさらに構成されている装置。
［１０］前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む上記［９］記載の装置。
［１１］前記アクセス端末は、前記第２の基地局と一体化されている上記［９］記載の装置。
［１２］前記ネットワークリンクは、アクセスゲートウェイとＩＰネットワークとのうちの少なくとも１つを含む上記［９］記載の装置。
［１３］前記隣接発見モジュールは、前記識別信号の少なくとも一部を、前記第２の基地局に既知である現在登録されている基地局の隣接リストと比較することによって、前記識別信号に基づいて、前記第１の基地局が既知の基地局であるかどうかを決定するようにさらに構成されている上記［９］記載の装置。
［１４］前記隣接発見モジュールは、前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第１の基地局と前記第３の基地局との間を調停するようにさらに構成されている上記［１３］記載の装置。
［１５］前記ネットワークインターフェース回路は、前記識別データに対する要求に応答した、前記識別データを含む返答を、前記第１の基地局から受信するようにさらに構成されており、前記隣接発見モジュールは、前記識別データのうちの少なくとも一部を使用して、前記第２の基地局の隣接リストに前記第１の基地局を登録するようにさらに構成されている上記［９］記載の装置。
［１６］前記隣接発見モジュールは、前記ネットワークリンクを通して、前記隣接リスト中の情報のうちの少なくとも一部を、前記通信システム中の少なくとも第３の隣接基地局に送ることを前記ネットワークインターフェース回路に指示するようにさらに構成されている上記［１５］記載の装置。
［１７］通信システムに用いる装置において、
前記通信システム中の第１の基地局からの識別信号のアクセス端末による検出に基づく、前記アクセス端末が第２の基地局から前記第１の基地局にハンドオフすることを支援する第１のメッセージを、前記アクセス端末から受信する手段と、
前記識別信号に基づいて、前記第１の基地局が既知の基地局であるかどうかを決定する手段と、
前記第１の基地局が既知の基地局でないという決定がなされるとき、前記第１の基地局のネットワーク識別を要求する第２のメッセージを前記アクセス端末に送信する手段と、
前記第２のメッセージに応答した、前記第１の基地局のネットワーク識別を含む第３のメッセージを、前記アクセス端末から受信する手段と、
前記ネットワーク識別に基づいて、識別データに対する要求を前記第１の基地局に送る手段とを具備する装置。
［１８］前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む上記［１７］記載の装置。
［１９］前記アクセス端末は、前記第２の基地局と一体化されている上記［１７］記載の装置。
［２０］前記ネットワークリンクは、アクセスゲートウェイとＩＰネットワークとのうちの少なくとも１つを含む上記［１７］記載の装置。
［２１］前記識別信号に基づいて、前記第１の基地局が既知の基地局であるかどうかを決定する手段は、前記識別信号の少なくとも一部を、前記第２の基地局に既知である現在登録されている基地局の隣接リストと比較する手段を含む上記［１７］記載の装置。
［２２］前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第１の基地局と前記第３の基地局との間を調停する手段をさらに具備する上記［２１］記載の装置。
［２３］前記識別データに対する要求に応答した、前記識別データを含む返答を、前記第１の基地局から受信する手段と、
前記識別データのうちの少なくとも一部を使用して、前記第２の基地局の隣接リストに前記第１の基地局を登録する手段とをさらに具備する上記［１７］記載の装置。
［２４］前記ネットワークリンクを通して、前記隣接リスト中の情報のうちの少なくとも一部を、前記通信システム中の少なくとも第３の隣接基地局に送る手段をさらに具備する上記［２３］記載の装置。
［２５］コンピュータプログラムプロダクトにおいて、
通信システム中の第１の基地局からの識別信号のアクセス端末による検出に基づく、前記アクセス端末が第２の基地局から前記第１の基地局にハンドオフすることを支援する第１のメッセージを、前記アクセス端末から受信することをコンピュータに生じさせるためのコードと、
前記識別信号に基づいて、前記第１の基地局が既知の基地局であるかどうかを決定することをコンピュータに生じさせるためのコードと、
前記第１の基地局が既知の基地局でないという決定がなされるとき、前記第１の基地局のネットワーク識別を要求する第２のメッセージを前記アクセス端末に送信することをコンピュータに生じさせるためのコードと、
前記第２のメッセージに応答した、前記第１の基地局のネットワーク識別を含む第３のメッセージを、前記アクセス端末から受信することをコンピュータに生じさせるためのコードと、
前記ネットワーク識別に基づいて、識別データに対する要求を前記第１の基地局に送ることをコンピュータに生じさせるためのコードと、
を含むコンピュータ読み取り可能媒体を具備するコンピュータプログラムプロダクト。
［２６］前記ネットワーク識別は、セクタＩＤとＡＮＩＤとのうちの少なくとも１つを含み、前記識別データは、地理的ロケーションと、ページング関連情報と、トポロジー情報と、ルーティング情報と、前記第１の基地局のプロトコルインターフェースのバージョンとのうちの少なくとも１つを含む上記［２５］記載のコンピュータプログラムプロダクト。
［２７］前記アクセス端末は、前記第２の基地局と一体化されている上記［２５］記載のコンピュータプログラムプロダクト。
［２８］前記ネットワークリンクは、アクセスゲートウェイとＩＰネットワークとのうちの少なくとも１つを含む上記［２５］記載のコンピュータプログラムプロダクト。
［２９］前記識別信号に基づいて、前記第１の基地局が既知の基地局であるかどうかを決定することをコンピュータに生じさせるためのコードを含む前記コンピュータ読み取り可能媒体は、前記識別信号の少なくとも一部を、前記第２の基地局に既知である現在登録されている基地局の隣接リストと比較することをコンピュータに生じさせるためのコードをさらに含む上記［２５］記載のコンピュータプログラムプロダクト。
［３０］前記コンピュータ読み取り可能媒体は、
前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第１の基地局と前記第３の基地局との間を調停することをコンピュータに生じさせるためのコードをさらに含む上記［２９］記載のコンピュータプログラムプロダクト。
［３１］前記コンピュータ読み取り可能媒体は、
前記識別データに対する要求に応答した、前記識別データを含む返答を、前記第１の基地局から受信することをコンピュータに生じさせるためのコードと、
前記識別データのうちの少なくとも一部を使用して、前記第２の基地局の隣接リストに前記第１の基地局を登録することをコンピュータに生じさせるためのコードとをさらに含む上記［２５］記載のコンピュータプログラムプロダクト。
［３２］前記コンピュータ読み取り可能媒体は、
ネットワークリンクを通して、前記隣接リスト中の情報のうちの少なくとも一部を、前記通信システム中の少なくとも第３の隣接基地局に送ることをコンピュータに生じさせるためのコードをさらに含む上記［３１］記載のコンピュータプログラムプロダクト。
［３３］通信システム中の基地局を発見する方法において、
アクセス端末において、通信ネットワーク中の第１の基地局からの識別信号を検出することと、
前記識別信号に基づく、前記アクセス端末が前記第１の基地局にハンドオフすることを支援する要求を、第２の基地局に送信することと、
前記第１の基地局が既知の基地局でないことを前記第２の基地局が決定するとき、前記第１の基地局の識別データを要求するメッセージを前記第２の基地局から受信することと、
前記第１の基地局から前記識別データを取得することと、
前記識別データを前記第２の基地局に送信することとを含む方法。
［３４］前記識別データは、セクタＩＤとＡＮＩＤとのうちの少なくとも１つを含む上記［３３］記載の方法。
［３５］前記アクセス端末は、前記第２の基地局と一体化されている上記［３３］記載の方法。
［３６］前記第２の基地局は、前記識別信号の少なくとも一部を、前記第２の基地局に既知である現在登録されている基地局の隣接リストと比較することによって、前記識別信号に基づいて、前記第１の基地局が既知の基地局でないかどうかを決定する上記［３３］記載の方法。
［３７］前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第２の基地局による、前記第１の基地局と前記第３の基地局との間の調停に基づいて、前記第１の基地局と前記第２の基地局とのうちの少なくとも１つから、更新された識別信号情報と、更新された識別データとのうちの少なくとも１つを受信することをさらに含む上記［３３］記載の方法。
［３８］通信システム中の基地局の隣接発見に用いるアクセス端末における装置において、
アクセス端末において、通信ネットワーク中の第１の基地局からの識別信号を検出し、前記識別信号に基づく、前記アクセス端末が前記第１の基地局にハンドオフすることを支援する要求を、第２の基地局に送信し、前記第１の基地局が既知の基地局でないことを前記第２の基地局が決定するとき、前記第１の基地局の識別データを要求するメッセージを前記第２の基地局から受信するように構成されているトランシーバ回路と、
前記第１の基地局から前記識別データを取得し、前記識別データを前記第２の基地局に送信することを前記トランシーバ回路に指示するように構成されている隣接発見モジュールとを具備する装置。
［３９］前記識別データは、セクタＩＤとＡＮＩＤとのうちの少なくとも１つを含む上記［３８］記載の装置。
［４０］前記アクセス端末は、前記第２の基地局と一体化されている上記［３８］記載の装置。
［４１］前記第２の基地局は、前記識別信号の少なくとも一部を、前記第２の基地局に既知である現在登録されている基地局の隣接リストと比較することによって、前記識別信号に基づいて、前記第１の基地局が既知の基地局であるかどうかを決定する上記［３８］記載の装置。
［４２］前記トランシーバ回路および隣接発見モジュールは、前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第２の基地局による、前記第１の基地局と前記第３の基地局との間の調停に基づいて、前記第１の基地局と前記第２の基地局とのうちの少なくとも１つから、更新された識別信号情報と、更新された識別データとのうちの少なくとも１つを受信するようにさらに構成されている上記［３８］記載の装置。
［４３］通信システム中の基地局の隣接発見に用いるアクセス端末における装置において、
アクセス端末において、通信ネットワーク中の第１の基地局からの識別信号を検出する手段と、
前記識別信号に基づく、前記アクセス端末が前記第１の基地局にハンドオフすることを支援する要求を、第２の基地局に送信する手段と、
前記第１の基地局が既知の基地局でないことを前記第２の基地局が決定するとき、前記第１の基地局の識別データを要求するメッセージを前記第２の基地局から受信する手段と、
前記第１の基地局から前記識別データを取得する手段と、
前記識別データを前記第２の基地局に送信する手段とを具備する装置。
［４４］前記識別データは、セクタＩＤとＡＮＩＤとのうちの少なくとも１つを含む上記［４３］記載の装置。
［４５］前記アクセス端末は、前記第２の基地局と一体化されている上記［４３］記載の装置。
［４６］前記第２の基地局は、前記識別信号の少なくとも一部を、前記第２の基地局に既知である現在登録されている基地局の隣接リストと比較することによって、前記識別信号に基づいて、前記第１の基地局が既知の基地局であるかどうかを決定する上記［４３］記載の装置。
［４７］前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第２の基地局による、前記第１の基地局と前記第３の基地局との間の調停に基づいて、前記第１の基地局と前記第２の基地局とのうちの少なくとも１つから、更新された識別信号情報と、更新された識別データとのうちの少なくとも１つを受信する手段をさらに具備する上記［４３］記載の装置。
［４８］コンピュータプログラムプロダクトにおいて、
アクセス端末において、通信ネットワーク中の第１の基地局からの識別信号を検出することをコンピュータに生じさせるためのコードと、
前記識別信号に基づく、前記アクセス端末が前記第１の基地局にハンドオフすることを支援する要求を、第２の基地局に送信することをコンピュータに生じさせるためのコードと、
前記第１の基地局が既知の基地局でないことを前記第２の基地局が決定するとき、前記第１の基地局の識別データを要求するメッセージを前記第２の基地局から受信することをコンピュータに生じさせるためのコードと、
前記第１の基地局から前記識別データを取得することをコンピュータに生じさせるためのコードと、
前記識別データを前記第２の基地局に送信することをコンピュータに生じさせるためのコードと、
を含むコンピュータ読み取り可能媒体を具備するコンピュータプログラムプロダクト。
［４９］前記識別データは、セクタＩＤとＡＮＩＤとのうちの少なくとも１つを含む上記［４８］記載のコンピュータプログラムプロダクト。
［５０］前記アクセス端末は、前記第２の基地局と一体化されている上記［４８］記載のコンピュータプログラムプロダクト。
［５１］前記第２の基地局は、前記識別信号の少なくとも一部を、前記第２の基地局に既知である現在登録されている基地局の隣接リストと比較することによって、前記識別信号に基づいて、前記第１の基地局が既知の基地局であるかどうかを決定する上記［４８］記載のコンピュータプログラムプロダクト。
［５２］前記コンピュータ読み取り可能媒体は、
前記第１の基地局の前記識別データおよびネットワークデータのうちの少なくとも１つと、第３の隣接基地局の識別データおよびネットワークデータのうちの対応する少なくとも１つとの間の競合が、前記第２の基地局によって検出されるとき、前記第２の基地局による、前記第１の基地局と前記第３の基地局との間の調停に基づいて、前記第１の基地局と前記第２の基地局とのうちの少なくとも１つから、更新された識別信号情報と、更新された識別データとのうちの少なくとも１つを受信することをコンピュータに生じさせるためのコードをさらに含む上記［３３］記載のコンピュータプログラムプロダクト。
【図１】
0005575642.tif 000002
【図２】
0005575642.tif 000003
【図３】
0005575642.tif 000004
【図４】
0005575642.tif 000005
【図５】
0005575642.tif 000006
【図６】
0005575642.tif 000007
【図７】
0005575642.tif 000008
【図８】
0005575642.tif 000009
【図９】
0005575642.tif 000010
【図１０】
0005575642.tif 000011